(57)【要約】【課題】落下時などに衝撃を受けても破壊し難いカードコネクタを提供すること。【解決手段】カードの挿入を案内するフレーム部１と、カードに接続するコンタクト１１を保持したベース部２とからなる。フレーム部とベース部とは互いに着脱自在に係合保持されるものである。フレーム部に、ベース部の近傍でかつベース部と同一側に向けて突出する少なくとも１つの突起７を設ける。こうして、カードから加わる衝撃力を突起により受けるようにした。【選択図】        図１
2004207046.tif 000002
【特許請求の範囲】
【請求項１】
カードと接続するカードコネクタであって、前記カードの挿入を案内するフレーム部と、前記カードに接続するコンタクトを保持したベース部とからなり、前記フレーム部と前記ベース部とは互いに着脱自在に係合保持されるものであり、前記フレーム部に、前記ベース部の近傍でかつ前記ベース部と同一側に向けて突出する少なくとも１つの突起を設け、前記カードから加わる衝撃力を前記突起により受けるようにしたことを特徴とするカードコネクタ。
【請求項２】
前記突起は、前記フレーム部の一部を切り曲げることにより形成されている請求項１に記載のカードコネクタ。
【請求項３】
前記フレーム部は、取付対象物に固定される固定部を有する請求項１又は２に記載のカードコネクタ。
【請求項４】
請求項１〜３のいずれか一つに記載のカードコネクタを実装したことを特徴とする携帯機器。
【発明の詳細な説明】
【０００１】
【発明の属する技術分野】
本発明は、カードと接続するカードコネクタに関する。
【０００２】
【従来の技術】
この種のカードコネクタは、主に、携帯電話機、携帯情報端末（ＰＤＡ）、及びデジタルスチルカメラ（ＤＳＣ）等の携帯機器に実装され、ＩＣカード又は通信カード等のカードの接続に使用される。これらの携帯機器は、その特質から、取り扱い時に誤って落とすなどにより、衝撃力を受けることが多い。その衝撃力はカードを介してコネクタのコンタクトに伝わる。コンタクトは携帯機器の筐体や基板に半田付け接続されているので、衝撃量が全てその半田付け部にかかり、半田付け部を破壊することがある。
【０００３】
従来、ゴムなどの弾性体によりカード嵌合時の衝撃を和らげるようにしたコネクタがある（例えば、特許文献１参照）。
【０００４】
【特許文献１】
特開平６−２６０２３７号公報
【０００５】
【発明が解決しようとする課題】
しかしながら、特許文献１に記載されたコネクタは、コネクタ本体に追加部品であるゴムを貼り付けたり充填したりしなければならないため、コネクタ組立て時に余分な手間が必要となり、価格の上昇につながる。また、品質的にもゴムは温度の変化によりやわらかさが変わるため、常に一定の衝撃緩和力を維持できないといった欠点がある。
【０００６】
それ故に本発明の課題は、落下時などに衝撃を受けても破壊し難いカードコネクタを提供することにある。
【０００７】
【課題を解決するための手段】
本発明の一態様によれば、カードと接続するカードコネクタであって、前記カードの挿入を案内するフレーム部と、前記カードに接続するコンタクトを保持したベース部とからなり、前記フレーム部と前記ベース部とは互いに着脱自在に係合保持されるものであり、前記フレーム部に、前記ベース部の近傍でかつ前記ベース部と同一側に向けて突出する少なくとも１つの突起を設け、前記カードから加わる衝撃力を前記突起により受けるようにしたことを特徴とするカードコネクタが得られる。
【０００８】
前記突起は、前記フレーム部の一部を切り曲げることにより形成されてもよい。
【０００９】
前記フレーム部は、取付対象物に固定される固定部を有してもよい。
【００１０】
本発明の他の態様によれば、上述したカードコネクタを実装したことを特徴とする携帯機器が得られる。
【００１１】
【発明の実施の形態】
図１を参照して、本発明の実施の形態に係るカードコネクタについて説明する。
【００１２】
図示のカードコネクタは、携帯電話機、携帯情報端末（ＰＤＡ）、及びデジタルスチルカメラ（ＤＳＣ）等の携帯機器に実装され、ＩＣカード又は通信カード等のカードの接続に使用されるものであり、フレーム部１とベース部２とからなる。通常、フレーム部１とベース部２は別々に携帯機器に実装される。携帯機器に実装された際に、ベース部２はフレーム部１の一端近傍部３に対向するように位置付けられる。フレーム部１の一端近傍部３にはナット４が固定されている。
【００１３】
フレーム部１は、携帯機器の筐体又はそれに固定された基板等の取付対象物と平行にのびる天板部５と、この天板部５の対向側縁から下方に向けて直角に曲がった両側板部６とを有している。天板部５の一端近傍部３に相当する部分には、ベース部２と同一側、即ち、下方に向けて突出する少なくとも一つ（ここでは二つ）の突起７が形成されている。また各側板部６には、カードの挿入を案内するために天板部５と平行にのびたガイド溝８と、携帯機器の筐体又は基板に固定される固定部９とが設けられている。
【００１４】
突起７は、図２に示すように、フレーム部１の天板部５の一部を切ってその内側部分を下方へほぼ直角に折り曲げることにより形成されたものである。ガイド溝８に案内されつつ挿入されたカード１０は、その挿入端を突起７に係止される。したがって、カード１０に加わる外力は突起７で受け止められる。
【００１５】
ベース部２は、カードに電気的に接続するための導電性の複数のコンタクト１１と、それらのコンタクト１１を配列させて保持した細長いインシュレータ１２とを有している。コンタクト１１は上述した取付対象物の回路パターンに半田付けされ、これによりベース部２を固定する。インシュレータ１２はその長手方向両端部にそれぞれフランジ部１３を有している。フランジ部１３には、ナット４に対向する部分に貫通穴１４が形成されている。貫通穴１４に挿通されたビス又はボルト（図示せず）をナット４にねじ込むことにより、フレーム部１とベース部２は互いに着脱自在に係合保持される。
【００１６】
カード（特に通信カード）はカードコネクタに挿入した状態で、筐体より出っ張っていることが多く、カードを挿入した状態で機器を誤って落下させると、落下時の衝撃力はカードを介してカードコネクタにかかる。
【００１７】
しかし、図１のカードコネクタは、フレーム部１に突起７が形成されているため、落下時の衝撃力の大部分をフレーム部１で受けることになり、したがって大きな強度が得られる。また仮にフレーム部１に破壊が生じたとしても、そのフレーム部１のみの交換で対処できるため、損害は少なくてすむ。
【００１８】
なお、上述では特定の実施の形態について説明したが、本発明はこれに限定されることはない。例えば、突起の数は３以上であってもよい。
【００１９】
【発明の効果】
以上説明したように、本発明によれば、落下時などに衝撃を受けても破壊し難いカードコネクタを提供することができる。
【図面の簡単な説明】
【図１】本発明の実施の形態に係るカードコネクタの分解斜視図である。
【図２】図１のカードコネクタのフレーム部の一部のみの拡大断面図である。
【符号の説明】
１  フレーム部
２  ベース部
３  一端近傍部
４  ナット
５  天板部
６  側板部
７  突起
８  ガイド溝
９  固定部
１０  カード
１１  コンタクト
１２  インシュレータ
１３  フランジ部
１４  貫通穴
【図１】
2004207046.tif 000003
【図２】
2004207046.tif 000004